(57)【要約】【課題】簡単な構成により、ベランダ等の立上がり部の壁厚の変化に簡便に対応できるだけでなく、立上がり部の高さ方向の変化に対しても、従来のように縦部材を交換することなく簡便に対応し得る仮設部材支持用具を提供し、その調整作業に関する作業性の向上を図るとともに材料コストの削減を図る。【解決手段】ベランダ等の立上がり部２の上端部に載置される横部材３と、横部材３の一端部に設けられパイプ８等の仮設部材を支持可能に構成された第１縦部材４と、横部材３の他端部に設けられ押圧手段を備えた第２縦部材５とからなり、それぞれの板面が略縦方向を向いた状態で互いに平行に離間させて配設した板部間に形成される横部材３の長手方向の間隙部に、第１縦部材４又は第２縦部材５の少なくとも一方を摺動可能に挿通した状態にて横部材３側に固着することにより、その縦部材の固定位置を縦横に調整し得るように構成する。【選択図】図１
2005155264.tif 000002
【特許請求の範囲】
【請求項１】
ベランダ等の立上がり部の上端部に載置される横部材と、該横部材の一端部に設けられ、前記立上がり部の一方の側面に当接可能に構成されるとともに、建設用の仮設部材を支持可能に構成された第１縦部材と、前記横部材の他端部に設けられ、前記立上がり部の他方の側面を押圧する押圧手段を備えた第２縦部材とからなる仮設部材支持用具において、前記横部材の長手方向に、それぞれの板面が略縦方向を向いて互いに平行に対向した状態に板部を離間させて配設し、それらの板部の間に上下に開放された横部材の長手方向の間隙部を形成するとともに、前記間隙部に前記第１縦部材又は第２縦部材の少なくともいずれか一方の縦部材を摺動可能に挿通した状態にて前記横部材側に固着するように構成し、その縦部材の横部材に対する固定位置を前記間隙部を介して縦横に調整可能にしたことを特徴とする仮設部材支持用具。
【請求項２】
前記横部材を２本の角形パイプから構成し、かつそれらの角形パイプの隣接する対向壁部を背中合せに離間させて配設して、それらの対向壁部からなる板面が縦方向に向いた板部相互間に上下に開放された前記横部材の長手方向の間隙部を形成した請求項１に記載の仮設部材支持用具。
【請求項３】
前記横部材を２本の断面コ字状のチャンネル形材から構成し、かつそれらのチャンネル形材の１辺を互いに背中合せに対向させて離間した状態に配設して、それらの対向設置された辺部からなる板面が縦方向に向いた板部相互間に上下に開放された前記横部材の長手方向の間隙部を形成した請求項１に記載の仮設部材支持用具。  
【請求項４】
前記横部材を２本の断面Ｌ字状のアングル形材から構成し、かつそれらのアングル形材の１辺を互いに背中合せに対向させて離間した状態に配設して、それらの対向設置された辺部からなる板面が縦方向に向いた板部相互間に上下に開放された前記横部材の長手方向の間隙部を形成した請求項１に記載の仮設部材支持用具。
【発明の詳細な説明】
【技術分野】
【０００１】
本発明は、建設現場においてベランダやバルコニーなどの立上がり部に装着して、足場用のパイプや、手摺り等の防護用のパイプ、あるいは防護用のネットなどの適宜の仮設部材の支持用手段として使用可能な仮設部材支持用具に関する。
【背景技術】
【０００２】
この種の仮設部材支用具として、ベランダ等の立上がり部の上端部に載置される横部材の一端部に、その立上がり部の一方の側面に当接可能に構成され、かつ建設用の仮設部材を支持可能に構成された第１縦部材を設けるとともに、前記横部材の他端部に、前記立上がり部の他方の側面を押圧する押圧手段を備えた第２縦部材を設け、それらの第１縦部材と第２縦部材とによって前記立上がり部を両側から挟持することにより、それ自体を立上がり部に装着する仮設部材支持用具は広く知られている。また、このタイプの仮設部材支持用具において、押圧手段を備えた第２縦部材を、横部材に内部に摺動可能に嵌装した摺動部と、該摺動部の中央部分から垂下して下端部に押圧手段を備えた本体部から構成して、前記摺動部の横部材に対する固定位置を変更することにより第１縦部材と第２縦部材との間の間隔を調整できるように構成したものが知られている（特許文献１）。しかしながら、この従来技術は、ベランダ等の立上がり部の壁厚の変化には簡便に対応できるものの、立上がり部の高さの変化に対しては、前記摺動部と本体部とからなる寸法の異なる第２縦部材を用意しておき、当該立上がり部の高さに応じて適応可能な第２縦部材を選択的に使用する必要があった。このため、前記従来技術の場合には、寸法の異なる第２縦部材を用意する分コストが嵩むとともに、第２縦部材を交換するための作業負担も加わることから作業性が低下する原因になっていた。
【特許文献１】特開２００２−２１３０７３号公報
【発明の開示】
【発明が解決しようとする課題】
【０００３】
本発明は、以上のような従来の技術的状況に鑑み、簡単な構成により、ベランダ等の立上がり部の壁厚の変化に簡便に対応できるだけでなく、立上がり部の高さ方向の変化に対しても、縦部材を交換することなく簡便に対応し得る仮設部材支持用具を提供し、その調整作業に関する作業性の向上を図るとともに材料コストの削減を図ることを目的とする。
【課題を解決するための手段】
【０００４】
本発明では、課題を解決するため、ベランダ等の立上がり部の上端部に載置される横部材と、該横部材の一端部に設けられ、前記立上がり部の一方の側面に当接可能に構成されるとともに、建設用の仮設部材を支持可能に構成された第１縦部材と、前記横部材の他端部に設けられ、前記立上がり部の他方の側面を押圧する押圧手段を備えた第２縦部材とからなる仮設部材支持用具において、前記横部材の長手方向に、それぞれの板面が略縦方向を向いて互いに平行に対向した状態に板部を離間させて配設し、それらの板部の間に上下に開放された横部材の長手方向の間隙部を形成するとともに、前記間隙部に前記第１縦部材又は第２縦部材の少なくともいずれか一方の縦部材を摺動可能に挿通した状態にて前記横部材側に固着するように構成し、その縦部材の横部材に対する固定位置を前記間隙部を介して縦横に調整し得るように構成するという技術的手段を採用した。
【０００５】
前記横部材の長手方向の上下に開放された間隙部の形成に関しては、次のような具体化手段が可能である。例えば、前記横部材を２本の角形パイプから構成し、かつそれらの角形パイプの隣接する対向壁部を背中合せに離間させて配設することにより、それらの対向壁部からなる板面が縦方向に向いた板部相互間に上下に開放された横部材の長手方向の間隙部を形成することができる。また、前記横部材を２本の断面コ字状のチャンネル形材から構成し、かつそれらのチャンネル形材の１辺を互いに背中合せに対向させて離間した状態に配設したり、前記横部材を２本の断面Ｌ字状のアングル形材から構成し、かつそれらのアングル形材の１辺を互いに背中合せに対向させて離間した状態に配設することにより、それらの対向設置された形材の辺部からなる板面が縦方向に向いた板部相互間に上下に開放された横部材の長手方向の間隙部を形成することができる。
【発明の効果】
【０００６】
本発明においては、横部材の長手方向に、それぞれの板面が略縦方向を向いて互いに平行に対向した状態に板部を離間させて配設することによって、それらの板部の間に上下に開放された横部材の長手方向の間隙部を形成するとともに、その間隙部に少なくとも一方の縦部材を摺動可能に挿通した状態にて横部材側に固着するように構成したので、次の作用効果を得ることができる。
（１）前記間隙部を介して少なくとも一方の縦部材の横部材に対する固定位置を縦横に調整することが可能となる。すなわち、ベランダ等の立上がり部の壁厚の変化に対応して簡便に横方向の調整ができるだけでなく、立上がり部の高さ方向の変化に対しても、従来技術のように縦部材を交換することなく縦方向の調整を簡便に行うことの可能な、使い勝手のきわめて良好な仮設部材支持用具を提供することができる。
（２）しかも、縦部材が縦横に摺動可能に挿入される上下に開放された横部材の長手方向に形成される間隙部は、それぞれの板面が略縦方向を向いて互いに平行に対向した状態に離間して配設した板部の相互間に形成されるように構成したので、それらの板面が略縦方向を向いた板部自体によって、横部材に作用する縦方向の外力、すなわち板面に沿った外力に対する曲げ剛性が大幅に強化される。以上のように横部材としての強度が効果的に強化されることから、横部材の軽量化延いては仮設部材支持用具としての軽量化にも有効である。
（３）さらに、それらの板部と縦部材との接触面積が大きいことから、調整時における相対的な摺動作業が安定化するとともに、横部材側に対する良好な固着状態が簡便に得られる。
（４）従来技術のように縦部材を交換することなく縦横に調整し得ることから、従来のように寸法の異なる縦部材の用意の必要がなくなり、その分材料コストの削減を図ることができるとともに、調整作業に関する作業性の向上も図ることができる。
【発明を実施するための最良の形態】
【０００７】
本発明に係る仮設部材支持用具は、建設中のベランダやバルコニーなどに設けられた適宜の立上がり部を利用して装着して、足場用のパイプや、手摺り等の防護用のパイプ、あるいは防護用のネットなどの適宜の仮設部材の支持用手段として広く適用することができる。仮設部材支持用具を構成する前記横部材に関しては、その横部材の長手方向に互いに平行に対向した状態に離間させて配設した２枚の平板状の板材だけから構成することも可能である。また、以下の実施例でも説明するように、２本の断面が矩形状の角形パイプを使用して隣接する対向壁部を背中合せに離間させて配設したり、２本の断面コ字状のチャンネル形材を使用してそれらのチャンネル形材の１辺を互いに背中合せに対向させて離間した状態に配設したり、２本の断面Ｌ字状のアングル形材を使用してそれらのアングル形材の１辺を互いに背中合せに対向させて離間した状態に配設したりすることにより前記横部材を構成することも可能である。横部材の一端部に設けられる第１縦部材は、前記立上がり部の一方の側面に対して直接的に当接するように構成してもよいし、以下の実施例のように当接材を介して間接的に当接するように構成してもよい。また、第１縦部材の仮設部材に対する支持の仕方に関しては、以下の実施例のように、クランプを介して支持する形態でもよいし、第１縦部材を中空状に形成し、その中空部に対して仮設部材としてのパイプなどを嵌入して支持する形態も可能である。因みに、本発明に係る仮設部材支持用具は金属製のものが一般的であるが、必要な強度を有する合成樹脂等の他の材質から構成することも可能である。
【実施例１】
【０００８】
図１〜図５は本発明の第１実施例を示したものであり、図１はその使用状態を示した説明図である。図２〜図５は本実施例に係る仮設部材支持用具を示したものであり、図２はその正面図、図３は平面図、図４はＡ−Ａ断面図、図５は拡大して示したＢ−Ｂ断面図である。図示のように、本実施例に係る仮設部材支持用具１は、ベランダ等の立上がり部２の上端部に載置される横部材３と、この横部材３の一端部に突き合せ溶接により固着された第１縦部材４と、他端部に後述のように縦横に調整可能に設けられた第２縦部材５から構成されている。第１縦部材４は、図３及び図４に示したように角形パイプから構成され、本実施例ではその外側面に上下２個のクランプ６，７を設置して、図１に示したようにクランプ６，７を用いて仮設用パイプ８を支持するように構成している。また、第１縦部材４の内側面には、クランプ６，７に対向した位置に形成された開口部を介して上下２個の当接材９，１０が設置されており、これらの当接材９，１０を介して第１縦部材４の内側面が立上がり部２の一方の側面１１に間接的に当接可能に構成されている。第２縦部材５は、本実施例では１枚の板材から構成され、その下端部にナット１２を溶接し、このナット１２に螺合した先端部に円盤状の当接材１３を備えた押圧ボルト１４とにより立上がり部２の他方の側面１５に対する押圧手段を構成している。因みに、本実施例では第２縦部材５側を縦横に調整可能に構成したが、第１縦部材４側を縦横に調整可能に構成してもよいし、双方の縦部材を調整可能に構成することも可能である。また、第１縦部材４を仮設用パイプ８を直接嵌入できる形状と寸法に設定することにより、前述のように第１縦部材４自体を活用して仮設部材を支持するように構成することも可能である。
【０００９】
次に、本発明の特徴部分に関して説明する。図３の平面図及び図５の拡大Ｂ−Ｂ断面図に示したように、本実施例に係る横部材３は、２本の矩形状断面からなる角形パイプ１６，１７を使用して、それらの角形パイプ１６，１７の隣接する対向壁部１８，１９を背中合せに離間させた状態に配設している。すなわち、それらの角形パイプ１６，１７の対向壁部１８，１９を離間して配設することにより、それらの対向壁部１８，１９からなる板面が縦方向に向いた板部相互間に上下に開放された横部材３の長手方向の間隙部２０を形成している。また、図４に示したように、第２縦部材５には、所定の横方向間隔をあけて２個の開孔２１，２２を形成するとともに、それらの開孔２１，２２の下方に同じ横方向間隔をあけて２個の開孔２３，２４を形成し、さらに図２に示したように、角形パイプ１６，１７の双方にも同じ横方向間隔をあけて３個以上、本実施例では４個の開孔２５〜２８を形成している。
【００１０】
そして、横部材３の長手方向に形成した前記間隙部２０には、第２縦部材５を摺動可能に挿通し、本実施例では第２縦部材５の開孔２１〜２４の中から選定した上段あるいは下段の２個の開孔と角形パイプ１６，１７に形成した開孔２５〜２８の中から選定した２個の開孔とを合わせて、図３及び図５に示したように止めピン２９，３０等の適宜の固定手段を用いて横部材３側に対して固定することになる。本実施例では、それらの選定して合致させた第２縦部材５側の開孔と角形パイプ１６，１７側の開孔に止めピン２９，３０をそれぞれ挿通して、第２縦部材５を横部材３側に対して固定するとともに、図３に示したように、それらの止めピン２９，３０の角形パイプ１６，１７から外側へ露出する部分に穿設した小孔に図示しない適宜の係止具を挿入して、止めピン２９，３０の脱落を防止するように構成している。因みに、止めピン２９，３０の一方の端部に頭部を設けて、他方だけに小孔を設けて係止具の挿入により脱落防止を行うように構成してもよいし、ボルトとナットを用いて締付け固定するように構成してもよい。さらに、それらの止めピンやボルトを鎖等を介して第２縦部材５あるいは横部材３などに連結しておけば、紛失予防等に有効である。
【００１１】
しかして、ベランダ等の立上がり部２の壁厚の変化や高さ方向の変化に応じて第１縦部材４と第２縦部材５との間隔や第２縦部材５の長さを調整する場合には、前記止めピン２９，３０を抜いて、第２縦部材５側の上段の開孔２１，２２又は下段の開孔２３，２４の選定と、角形パイプ１６，１７側の開孔２５〜２８に関する選定を行うことにより、他の寸法からなる第２縦部材５に交換することなく、簡便に対応することができる。例えば、図２に示したように、第２縦部材５に関しては上段の開孔２１，２２を選定し、角形パイプ１６，１７に関しては開孔２５，２６を選定すれば、立上がり部２の壁厚が大きく高さが高い場合に対応した状態に設定される。また、図６に示したように、第２縦部材５に関して上段の開孔２１，２２を選定したまま、角形パイプ１６，１７の開孔を開孔２７，２８側へ移行すれば、立上がり部２の壁厚が小さい場合に対応した状態に設定できる。さらに、図７に示したように、第２縦部材５に関して下段の開孔２３，２４を選定すれば、立上がり部２の高さが低い場合に対応した状態に設定できる。そして、以上の各設定状態においては、押圧手段を構成する押圧ボルト１４の端部に設けた六角部３１にスパナ等の工具をかけて回転して当接材１３の位置を調整し、第１縦部材４側の当接材９，１０との間で立上がり部２を挟持することにより、本仮設部材支持用具１を立上がり部２に装着することになる。
【００１２】
因みに、前記第２縦部材５側に形成する開孔の横方向の間隔や、上下方向の間隔及び設置段数、角形パイプ１６，１７側の開孔の設置数などは、必要に応じて変更することができる。また、前記実施例では、第２縦部材５側に形成された横方向の２個の開孔を用いて第２縦部材５が回動しないように固定したが、それらの固定の際に同時に関与する開孔の数を増やしたり、上下複数段の開孔を用いて固定するように構成したり、縦方向の２個以上の開孔を用いて固定するように構成することも可能である。なお、以上の第２縦部材５側の開孔に関する変更に対応して、角形パイプ１６，１７側の開孔に関しても、第２縦部材５の開孔と合致し得るように変更することはいうまでもない。さらに、開孔の形状を角形等の円形以外の形状にすれば、１個の開孔でも第２縦部材５が回動しないように固定することが可能である。さらに付言すれば、本実施例においては、図４及び図５に示したように、第２縦部材５の上端部に角形パイプ１６，１７の隣接する対向壁部１８，１９間に形成された横部材３の長手方向の間隙部２０より大きい直径の丸棒３２，３３を溶接して、第２縦部材５の固定位置に関する調整作業時などに間隙部２０から抜落ちないように構成されている。また、図３に示したように、角形パイプ１６，１７の第１縦部材４とは反対側の端部は、ボルト３４とナット３５により、それらの角形パイプ１６，１７間に間隙部２０を確実に維持するためのスペーサを挟んだ状態で、締付け固定するように構成されている。第２縦部材５は、ボルト３４及びナット３５や前記スペーサを取付ける前に、角形パイプ１６，１７の端部から間隙部２０内に挿通しておくことになる。
【実施例２】
【００１３】
図８は本発明の第２実施例を前記図５と同様に断面して示した拡大横断面図である。本実施例に係る仮設部材支持用具３６は、前記横部材を２本の断面コ字状のチャンネル形材３７，３８から構成し、それらのチャンネル形材３７，３８の中央の辺部３９，４０を互いに背中合せに対向させて離間した状態に配設して、それらの対向設置された辺部３９，４０からなる板面が縦方向に向いた板部相互間に上下に開放された横部材の長手方向に沿った間隙部４１を形成し、この間隙部４１に第２縦部材４２を摺動可能に挿通した点で特徴を有する。その余の構成に関しては、前記第１実施例と同様であり、同様の機能を奏する。なお、本実施例では、チャンネル形材３７，３８を使用し、その対向設置された中央の辺部３９，４０の上端部と下端部には残りの辺部４３〜４６が直角方向に一体的に形成されているので、それらの直角部を含む断面形状から曲げ剛性の大きい横部材が得られるとともに、左右両面の辺部がなく開放されていることからその分軽量化にも有効である。
【実施例３】
【００１４】
図９は本発明の第３実施例を前記図５と同様に断面して示した拡大横断面図である。本実施例に係る仮設部材支持用具４７は、前記横部材を２本の断面Ｌ字状のアングル形材４８，４９から構成し、それらのアングル形材４８，４９の長い方の辺部５０，５１を互いに背中合せに対向させて離間した状態に配設して、それらの対向設置された辺部５０，５１からなる板面が縦方向に向いた板部相互間に上下に開放された横部材の長手方向に沿った間隙部５２を形成し、この間隙部５２に第２縦部材５３を摺動可能に挿通した点で特徴を有する。その余の構成に関しては、前記第１実施例と同様であり、同様の機能を奏する。なお、本実施例では、アングル形材４８，４９を使用し、その対向設置された辺部５０，５１の上端部あるいは下端部には残りの辺部５４，５５が直角方向に一体的に形成されているので、それらの直角部を含む断面形状から曲げ剛性の大きい横部材が得られるとともに、Ｌ字状の２辺のみから構成されていることからその分軽量化にも有効である。
【図面の簡単な説明】
【００１５】
【図１】本発明の第１実施例の使用状態を示した説明図である。
【図２】同実施例に係る仮設部材支持用具を示した正面図である。
【図３】同実施例を示した平面図である。
【図４】同実施例を示したＡ−Ａ断面図である。
【図５】同実施例を拡大して示したＢ−Ｂ拡大断面図である。
【図６】同実施例における第２縦部材の他の固定状態を例示した正面図である。
【図７】同実施例における第２縦部材の更に他の固定状態を例示した正面図である。
【図８】本発明の第２実施例を示した拡大横断面図である。
【図９】本発明の第３実施例を示した拡大横断面図である。
【符号の説明】
【００１６】
１…仮設部材支持用具、２…立上がり部、３…横部材、４…第１縦部材、５…第２縦部材、６，７…クランプ、８…仮設用パイプ、９，１０…当接材、１１…側面、１２…ナット、１３…当接材、１４…押圧ボルト、１５…側面、１６，１７…角形パイプ、１８，１９…対向壁部、２０…間隙部、２１〜２８…開孔、２９，３０…止めピン、３１…六角部、３２，３３…丸棒、３４…ボルト、３５…ナット、３６…仮設部材支持用具、３７，３８…チャンネル形材、３９，４０…辺部、４１…間隙部、４２…第２縦部材、４３〜４６…辺部、４７…仮設部材支持用具、４８，４９…アングル形材、５０，５１…辺部、５２…間隙部、５３…第２縦部材、５４，５５…辺部
【図１】
2005155264.tif 000003
【図２】
2005155264.tif 000004
【図３】
2005155264.tif 000005
【図４】
2005155264.tif 000006
【図５】
2005155264.tif 000007
【図６】
2005155264.tif 000008
【図７】
2005155264.tif 000009
【図８】
2005155264.tif 000010
【図９】
2005155264.tif 000011